(57)【要約】【課題】スパゲティー等の麺が簡単に巻き取れる回転フォークを提供する。【解決手段】フォーク（１）の後部に，円柱状のローラー（２）の前端部を結合部品（５）で取り付け，ローラー（２）の後部に，ローラーガイドピン（４）を取り付ける取り付け穴（１２）を設け，ローラー（２）を，円周側面部に一対の螺旋状のローラーガイド溝（７）及び巻き戻り防止溝（９）の彫り込まれた円筒状のローラーガイド（３）の前部から挿入し，ローラーガイド溝（７）にローラーガイドピン（４）を挿通させると共にローラー（２）の取り付け穴（１２）に，該ローラーガイドピン（４）を嵌入して固着し，ローラーガイド（３）は後部で固着手段によって円筒状のボディ・カバー（６）の内側に取り付けられたことを特徴とする回転フォークである。【選択図】図１
2012183244.tif 000002
【特許請求の範囲】
【請求項１】
フォーク（１）の後部に，円柱状のローラー（２）の前端部を結合部品（５）で取り付け，ローラー（２）の後部に，ローラーガイドピン（４）を取り付ける取り付け穴（１２）を設け，
ローラー（２）を，円周側面部に一対の螺旋状のローラーガイド溝（７）及び巻き戻り防止溝（９）の彫り込まれた円筒状のローラーガイド（３）の前部から挿入し，ローラーガイド溝（７）にローラーガイドピン（４）を挿通させると共にローラー（２）の取り付け穴（１２）に，該ローラーガイドピン（４）を嵌入して固着し，
ローラーガイド（３）は後部で固着手段によって円筒状のボディ・カバー（６）の内側に取り付けられたことを特徴とする回転フォーク。
【発明の詳細な説明】
【技術分野】
【０００１】
この発明は，スパゲティー等の洋（麺）食事に使用する，スパゲティー等の麺を簡単に巻き取る事が出来る回転フォークに関するものである。
【背景技術】
【０００２】
従来より，スパゲティーは洋食としてフォークで食べる事が一般常識化されているが，スパゲティーを巻き取る事は子供やお年寄り，病で身体の不自由な人，取り分け手の指や腕などの不自由な人にとっては大変難しい動作である。従って，多くの人が四苦八苦しながらスパゲティー等の麺を食べて居るか，或は麺食を避けている。つまり，フォークが上手に使えない為に美味しそうなスパゲティーの外食を諦めて居る人もいる。
【０００３】
これらの課題を解決するためのフォークとして，螺旋がフォークの回転基軸側にある回転式食器用フォークが提案されている（特許文献１）。また電動で回転する回転式フォークが提案されている（特許文献２）。
【先行技術文献】
【特許文献】
【０００４】
【特許文献１】実開平７−３２０５１号公報
【特許文献２】特開２００５−１３１３４８号公報
【０００５】
しかし，特許文献１に係る回転式食器用フォークは，螺旋がフォークの回転基軸側にあるため意匠性が低く，また量産に適さないという課題がある。
【０００６】
また，特許文献２に係る回転式フォークは，電動式であるため構造が複雑であり，また重量が重く，コストも高いという課題がある。
【発明の概要】
【発明が解決しようとする課題】
【０００７】
本発明が解決しようとする課題は，子供やお年寄り，病で身体の不自由な人達，取分け手の指や腕などの不自由な人達にとって，      
イ，  スパゲティーを巻き取る事は“難しい”，  
ロ，  フォークを回す事自体が“難しい”，  
という課題を解決するためになされたものであり，また意匠性に優れ，構造が簡単で量産に適するとともに重量も軽量に構成することが出来る回転フォークを提供することにある。
【課題を解決するための手段】
【０００８】
本発明の回転フォークは，麺を巻き取るフォーク（１）の部分が回転基軸の中心であるローラー（２）の一端にフォーク
（１） が取り付く様にローラー（２）の前部に施された溝と穴に対応した取り付け座及び穴を設け，結合部品（５）によって結合する前部と，ローラーガイド溝（７）は，効率とバランスの良い表裏一対の螺旋構造とし，ローラーガイド溝（７）と麺の巻き取りの反作用としての巻き戻り防止溝（９）の彫り込まれたローラーガイド（３）に連結するローラーガイドピン（４）の取り付け穴（１２）が施されたローラー（２）の後部よりフロントカバー（１０）の前側から挿入し，其の後ローラーガイド（３）の前部から内側に挿入し，ローラー（２）の後部に設けた取り付け穴（１２）とローラーガイド（３）に彫り込まれたローラーガイド溝（７）がリンクする正しい位置に組み付けセットされた状態でローラーガイドピン（４）が２個の部品を串刺し状に挿入セットした上で，取手（柄）機能と螺旋のローラーガイド溝（７）の機能保護役のボディ・カバー（６）の内側に挿入して，固着手段である止めネジ（８）によって，ローラーガイド（３）とボディ・カバー（６）を結合し，其の後リヤーカバー（１１）をボディ・カバー（６）の後部より組み付け，螺旋ローラーガイド溝（７）及び巻き戻り防止溝（９）の設けられたローラーガイド（３）内をローラーガイドピン（４）に連結したローラー（２）及びフォーク（１）とが自身の重量又は，外力により，フォーク（１）を上又は，下に向けると後退（収納）又は前進（前出），と同時に回転し，後退しながら麺を巻き取る事に成る。本発明は，以上の構成により成ることを特徴とする回転フォークを提供する。
【発明の効果】
【０００９】
本発明である回転フォークを使用する事によって，スパゲティー等の洋食麺をフォークで簡単に巻き取る事が出来る為，従来のフォークに四苦八苦していた子供やお年寄り，病で身体の不自由な人，取分け手の指や腕などの不自由な人達までも簡単に麺を巻き取る事が出来るので，スパゲティー等の麺の好きな家庭での麺食事や外食を存分に堪能する事が出来，食事が一段と楽しく，健康で豊かな気分に成る。
【００１０】
また，本発明の回転フォークは，構造が簡単で量産に適するとともに，軽量で意匠性に優れるという効果がある。
【図面の簡単な説明】
【００１１】
【図１】本発明の回転フォークの組立要部断面図であり，フォーク（１）がローラーガイド（３）の巻き戻り防止溝（９）に嵌まっている状態図である。
【図２】本発明のローラーガイド（３）の展開図である。
【図３】本発明の主要構成部品の分解斜視図である。
【図４】本発明のＸ−Ｘ端面図である。
【図５】本発明のＹ−Ｙ端面図である。
【図６】本発明の回転フォークの組立要部断面図であり，フォーク（１）が中央位置よりやや前方にあって，ローラーガイド溝（７）にローラーガイドピン（４）が嵌合している状態図である。
【図７】本発明のＺ−Ｚ端面図である。
【図８】本発明の回転フォークの組立要部断面図であり，フォーク（１）が前進限度まで前出された状態図である。
【発明を実施するための形態】
【００１２】
以下，本発明の回転フォークについて図１乃至図８に基づいて詳細に説明する。
イ，フォーク（１）の後部に，円柱状のローラー（２）の前端部を結合部品（５）で取り付け，ローラー（２）の後部に，ローラーガイドピン（４）を取り付ける取り付け穴（１２）を設け，
ロ，後部にローラーガイドピン（４）の取り付け穴（１２）を設けたローラー（２）は，円周側面部に一対（図２におけるＡ溝とＢ溝）の螺旋状のローラーガイド溝（７）及び巻き戻り防止溝（９）の彫り込まれた円筒状のローラーガイド（３）の前部から挿入し，ローラーガイド溝（７）にローラーガイドピン（４）を挿通させると共にローラー（２）の取り付け穴（１２）に，該ローラーガイドピン（４）を嵌入して固着し，
ハ，ローラーガイド（３）は後部で固着手段である止めネジ（８）によって円筒状のボディ・カバー（６）の内側に取り付けられ，
ニ，ボディ・カバー（６）の前後には，衛生面とデザイン性を考慮した筒状のフロントカバー（１０）とキャップ状のリヤーカバー（１１）が固着されている。
【００１３】
従って，本発明を使用する場合は，先ず回転フォークの先端部フォーク（１）を真下に向けると，フォーク（１）とその結合部品のローラー（２）の重量によってローラーガイドピン（４）がローラーガイド溝（７）に沿って移動し，その際ローラーガイド溝（７）は螺旋状に設けられているため，フォーク（１）とこれに結合されたローラー（２）は回転しながら，設定されたストロークの前進限度まで前出する。この状態で，お皿に盛られたスパゲッテー等の麺の真上から真下に向かってフォーク（１）を軽く差し込む事によりフォーク（１）の先端がお皿に当たり後退と同時に，ローラーガイドピン（４）がローラーガイド溝（７）に沿って移動し，フォーク（１）及びローラー（２）は回転を始めて麺を巻き付ける。麺の巻き付いたフォーク（１）は，ローラーガイドピン（４）がキッチリとストロークエンドの巻き戻り防止溝（９）まで押し込まれて仮固定の状態となり，本発明の回転フォーク全体を横に倒すようにして，スパゲティー等の麺の巻き付いたフォーク（１）をお皿から持ち上げて口に運び食べる事が出来る。
【００１４】
なお，フォーク（１）の先端部中央の刃が，両隣の刃より長いとフォーク（１）は，よりスムーズに回転する。またフォーク（１）の刃は，中央に一本の刃があり，その両側にやや短い刃が設けられた奇数本の刃からなるフォークがより好ましい。
【符号の説明】
【００１５】
１  フォーク
２  ローラー
３  ローラーガイド
４  ローラーガイドピン
５  結合部品
６  ボディ・カバー
７  ローラーガイド溝
８  止めネジ
９  巻き戻り防止溝  
１０  フロントカバー
１１  リヤーカバー
１２  取り付け穴
【図１】
2012183244.tif 000003
【図２】
2012183244.tif 000004
【図３】
2012183244.tif 000005
【図４】
2012183244.tif 000006
【図５】
2012183244.tif 000007
【図６】
2012183244.tif 000008
【図７】
2012183244.tif 000009
【図８】
2012183244.tif 000010